(57)【特許請求の範囲】
【請求項１】
芯を押圧把持し、かつ芯と一体となって移動し、周囲の締めリングによる締め付けから解放された段階にて、芯に対する前記押圧把持を解放する芯咬止チャックを設け、ノックを前方に押圧することによって、芯タンク、及び芯の周囲に設けられている継ぎ手を介して、芯咬止チャックを締めリングによって前記の締め付けられた状態にて押圧を把持している芯と共に、前進させると共に、締めリングの先端が前側の部材と衝突した段階にて、締めリングの芯咬止チャックに対する締め付け、及び芯咬止チャックの芯に対する押圧把持を解放した後に、芯タンク又は継ぎ手と係合している芯咬止用バネの弾発力によって芯タンク及び継ぎ手を介してノック、芯咬止チャック及び締めリングを後退させ、締めリングの後退が停止した段階にて、芯咬止チャックに対する締め付け、更には芯咬止チャックの芯に対する押圧把持を再現することによって、芯を前方に突出させているノック式シャープペンシルであって、締めリングの後方において、芯咬止チャック及び継ぎ手の周囲にスライドスリーブを設け、当該スライドスリーブの後端面と、継ぎ手又は芯タンクとの間に前記芯咬止用バネを介在させており、芯咬止用バネの弾発力によって、芯タンク及び継ぎ手を介してノック、芯咬止用チャック及び締めリングが後退した後に、締めリングがスライドスリーブの前側端に衝突することによって後退を停止し、かつ前記のように、芯咬止チャックに対する締め付け、更には芯咬止チャックの芯に対する押圧把持を再現する一方、当該停止の後、ノックを前方に押圧することによって、芯タンク、継ぎ手及び芯を押圧把持している芯咬止チャックを介して、締めリングが前進し、かつスライドスリーブの前側端から離脱しており、前記スライドスリーブは、外側筒状部に内側に螺合している内側筒状部に対し更に内側から螺合し、かつ後方のダイヤルスリーブと一体を成して回転することによって、前後方向移動自在であって、該ダイヤルスリーブの外側周囲において、外側筒状部の隙間を介して手指と接触し得るダイヤルを有している改良型ノック式シャープペンシルにおいて、内側筒状部を先端金具を介してガイドパイプと接続した状態とし、かつ内側筒状部と回転自在に螺合することによって、前後方向に移動自在である先軸を設け、該先軸を、口金の後部と接続した状態とし、かつ締めリングが前進した際、その先端が先端金具に衝突して停止することに基づく改良型ノック式シャープペンシル。
【請求項２】
口金を前側と後側とに分割したうえで、後側の口金又は先軸の内側面と螺合し、外側周囲において、前側の口金と後側の口金の隙間を介して手指と接触し得る先端ダイヤルを有している前後方向移動自在である先端ダイヤルスリーブを設け、該先端ダイヤルスリーブが、前側の口金と一体形成するか、又は固着した状態にあることを特徴とする請求項１記載の改良型ノック式シャープペンシル。
【発明の詳細な説明】
【０００１】
【発明の属する技術分野】
本願は所謂ノック式シャープペンシルに改良に関するものである。
【０００２】
【従来の技術】
図４に示すように、ノック式シャープペンシルにおいては、芯１を押圧把持し、かつ芯１と一体となって移動し、周囲の締めリング３による締め付けから解放された段階にて、芯１に対する前記押圧把持を解放する芯咬止チャック２を設け、ノック７を前方に押圧することによって、芯タンク２２、及び芯１の周囲に設けられている継ぎ手２１を介して、芯咬止チャック２を締めリング３によって前記の締め付けられた状態にて押圧を把持している芯１と共に、前進させると共に、締めリング３の先端が前側の部材と衝突した段階にて、締めリング３の芯咬止チャック２に対する締め付け、及び芯咬止チャック２の芯１に対する押圧把持を解放した後に、芯タンク２２又は継ぎ手２１と係合している芯咬止用バネ１２の弾発力によって芯タンク２２及び継ぎ手２１を介してノック７、芯咬止チャック２及び締めリング３を後退させ、締めリング３の後退が停止した段階にて、芯咬止チャック２に対する締め付け、更には芯咬止チャック２の芯１に対する押圧把持を再現することによって、芯１を前方に突出させている。
【０００３】
そして、芯１の先端における位置、即ちガイドパイプ９からの突出長さを適当に設定するためには、ノック７を前方向に押すことによって、締めリング３によって締め付けられた状態にある芯咬止チャック２及び芯１を前進させた後、締めリング３を前側の部材（大抵の場合には、図４に示すように、口金８の段差部分）と衝突させ、芯咬止チャック２を締めリング３の周囲からの押圧から解放し、更には、芯１に対する該チャックの締め付けを解放することによって、一方の指先による保持の位置に芯１の先端を留めることが行われている。
【０００４】
しかしながら、図４に示すような従来技術の構成では、締めリング３が芯咬止チャック２と共に前後方向に移動し得る先端及び後端はそれぞれ口金８の段差部分及び内側筒状部６１の先端部分によって確定しており、該前後方向間隔は固定された状態にある。
【０００５】
このように、締めリング３が移動し得る前後方向間隔が確定している場合にはノック７によって前進する芯１の距離も固定されており、ユーザーにおいては、前記のように指先によって芯１を留めなければ、先端のガイドパイプ９から突出し得る芯１の程度を微調整することができないという点において不都合である。
【０００６】
上記のような従来技術の不都合を克服するため、出願人は、既に先端側の口金の近傍において、口金又は外側筒状部と係合し、前後方向に移動自在な内側筒状部を設け、締めリングの先端の当接位置を調整する構成について、特願２００２−１０２０２８号において特許出願を行っている。
【０００７】
但し、上記構成では、口金の近傍において、手指によって操作を行う部位の幅が狭小とならざるを得ず、しかも、このような狭小な部位において手指を接触させながら、上記内側筒状部を移動させるための隙間などを設けることが、工作上煩雑とならざるを得ない。
【０００８】
【発明が解決しようとする課題】
本発明は、前記のような従来技術を克服し、比較的簡単な構成でありながら締めリングが移動し得る前後方向の間隔を調整自在とし、ひいては１ノック当たりの芯がガイドパイプの先端から突出し得る距離を調整自在とし得る構成を提供することを課題とするものである。
【０００９】
【課題を解決するための手段】
前記課題を解決するため、本発明の基本構成は、芯を押圧把持し、かつ芯と一体となって移動し、周囲の締めリングによる締め付けから解放された段階にて、芯に対する前記押圧把持を解放する芯咬止チャックを設け、ノックを前方に押圧することによって、芯タンク、及び芯の周囲に設けられている継ぎ手を介して、芯咬止チャックを締めリングによって前記の締め付けられた状態にて押圧を把持している芯と共に、前進させると共に、締めリングの先端が前側の部材と衝突した段階にて、締めリングの芯咬止チャックに対する締め付け、及び芯咬止チャックの芯に対する押圧把持を解放した後に、芯タンク又は継ぎ手と係合している芯咬止用バネの弾発力によって芯タンク及び継ぎ手を介してノック、芯咬止チャック及び締めリングを後退させ、締めリングの後退が停止した段階にて、芯咬止チャックに対する締め付け、更には芯咬止チャックの芯に対する押圧把持を再現することによって、芯を前方に突出させているノック式シャープペンシルであって、締めリングの後方において、芯咬止チャック及び継ぎ手の周囲にスライドスリーブを設け、当該スライドスリーブの後端面と、継ぎ手又は芯タンクとの間に前記芯咬止用バネを介在させており、芯咬止用バネの弾発力によって、芯タンク及び継ぎ手を介してノック、芯咬止用チャック及び締めリングが後退した後に、締めリングがスライドスリーブの前側端に衝突することによって後退を停止し、かつ前記のように、芯咬止チャックに対する締め付け、更には芯咬止チャックの芯に対する押圧把持を再現する一方、当該停止の後、ノックを前方に押圧することによって、芯タンク、継ぎ手及び芯を押圧把持している芯咬止チャックを介して、締めリングが前進し、かつスライドスリーブの前側端から離脱しており、前記スライドスリーブは、外側筒状部に内側に螺合している内側筒状部に対し更に内側から螺合し、かつ後方のダイヤルスリーブと一体を成して回転することによって、前後方向移動自在であって、該ダイヤルスリーブの外側周囲において、外側筒状部の隙間を介して手指と接触し得るダイヤルを有している改良型ノック式シャープペンシルにおいて、内側筒状部を先端金具を介してガイドパイプと接続した状態とし、かつ内側筒状部と回転自在に螺合することによって、前後方向に移動自在である先軸を設け、該先軸を、口金の後部と接続した状態とし、かつ締めリングが前進した際、その先端が先端金具に衝突して停止することに基づく改良型ノック式シャープペンシルからなる。
【００１０】
【発明の実施の形態】
図１は、前記基本構成による実施形態による構成のうち、内側接合部６１、先端金具１６、及び先軸１４以外の構成を示しており（内側接合部６１、先端金具１６、及び先軸１４を含む構成は後述する図２によって図示されている。）、締めリング３の後方に設けたスライドスリーブ４を、後述するように、締めリング３に対し衝突及び離脱自在としたうえで、前後方向に移動自在とし、芯咬止用バネ１２の反発力によって、ノック７が後退した際、芯咬止チャック２と共に後方に移動する締めリング３の移動距離を調整自在としている点に基本的特徴を有している。
【００１１】
前記基本構成においては、図２に示すようにスライドスリーブ４は、その外側周囲の一部において外側筒状部６２の内側に螺合している内側筒状部６１に対し、更に内側から螺合しており、後方のダイヤルスリーブ５と一体形成されるか、又は固着されている（図１及び図２の場合には、ネジによって螺着されている場合を示す。）。
【００１２】
前記の基本構成において、ダイヤルスリーブ５は、外側筒状部６２に設けた単数又は複数の隙間１１を介して、ユーザーの手指によって接触可能であるダイヤル５１を外側周囲にて有しており、手指によって伝達されたダイヤルスリーブ５の回転を介して、スライドスリーブ４も回転し、前記前後方向の移動を実現している。
【００１３】
本発明においても、ノック７を前方（先端側）に押圧した場合には、当該押圧力が、ノック７と接続状態にある芯タンク２２（尚、ノック７との接続状態は図示されていない）→継ぎ手２１→芯咬止チャック２の順序にて、前方に伝達されることによって、ノック７、芯タンク２２、継ぎ手２１の前進を介して、芯咬止チャック２は締めリング３と共に前進し、締めリング３が所定の部材と衝突することによって（図１、図２においては、図４に示す従来技術の場合と同様に、口金８の段差部分と衝突する構成を示すが、衝突の対象物は、口金８に限定される訳ではない。因みに、後述する図２に示す前記基本構成の特徴点に基づく構成においては、先端金具１６が前記部材に該当する。）、前進を中止し、かつ締めリング３の芯咬止チャック２及び芯１に対する締め付けが解放されるに至るまで、芯咬止チャック２が、芯１と共にノックされた距離だけ前進することになる。
【００１４】
ノック７が、芯咬止用バネ１２の弾発力によって後退する場合には、芯タンク２２及び継ぎ手２１を介して芯咬止チャック２もまた締めリング３と共に後退し、締めリング３がスライドスリーブ４の前側端と衝突して後退を停止した段階にて、芯咬止チャック２を中心方向に締めることになり、芯１を芯咬止チャック２によって固着している。
そして、ノック７を前方に押圧することによって、前記のように芯１を押圧把持している芯咬止チャック２及び締めリング３が前進する際、締めリング３は、スライドスリーブ４から離脱することになる。
【００１５】
前記のようにスライドスリーブ４が前後方向に移動自在であるため、締めリング３の後端がスライドスリーブ４の前側端に衝突することによって、締めリング３の後退を停止する位置を順次調節することができ、かつ前後方向の移動距離を調整し得ることによって、１回のノックによって、先端における芯１の突出量を調整することになる（厳密には、ノックによって一旦突出する距離、及びその後締めリング３が後退して停止する直前に芯咬止チャック２を締め付け、かつ当該締め付けによって、芯咬止チャック２が芯１を押圧把持することによって、芯１が部分的に後退する距離との差に基づく最終的な芯の突出量を調整することになる。）。
【００１６】
本発明においても、必然的に芯咬止用バネ１２の存在は不可欠であり、図１では、芯咬止用バネ１２の先端はスライドスリーブ４の後方と当接し、その後端は、芯タンク２２から突設した突起２３と当接しているが、芯咬止用バネ１２の当接部位は、このような設計に限定される訳ではなく、要するに、先端が内側筒状部６１又はスライドスリーブ４のように、螺合による移動以外の場合に固定状態を実現し得る部材と当接し、後端が継ぎ手２１、芯タンク２２などの移動し得る部材と当接するように設計すれば良い。
【００１７】
前記基本構成においては、図２に示すように、内側筒状部６１を先端金具１６を介してガイドパイプ９と接続した状態とし、かつ内側筒状部６１と回転自在に螺合することによって、前後方向に移動自在である先軸１４を設け、当該先軸１４を口金８の後部と接続状態とし、かつ締めリング３が前進した際、その先端が先端金具１６に衝突して停止することを特徴とする構成を採用している。
【００１８】
前記特徴点に基づく構成において、先軸１４を回転した場合には、内側筒状部６１、及びこれと先端金具１６を介して接続されているガイドパイプ９は、前後方向に移動が可能となる(尚、スライドスリーブ４は内側筒状部６１に対し、移動自在の状態にて螺合しているために、上記回転に際し、前後方向に移動する訳ではない。)。
【００１９】
前記特徴点に基づく構成においては、ガイドパイプ９の先端位置を調整できるので、例えば、ガイドスリーブの前後方向位置調整によって、芯１のガイドパイプ９からの突出量が過大である場合、又は過小である場合の何れにおいても、先軸１４の回転によって、ガイドパイプ９の前後位置を微調整することによって、上記過大又は過小の突出量を、適切な突出量に調整することができる。
【実施例】
【００２０】
実施例においては、図３に示すように、図２に示す特徴点に基づく構成に立脚したうえで、口金８を前側と後側とに分割したうえで、後側の口金８又は先軸１４の内側面と螺合し、外側周囲において、前側の口金８と後側の口金８の隙間１１を介して手指と接触し得る先端ダイヤルを有している前後方向移動自在である先端ダイヤルスリーブ１５を設け、該先端ダイヤルスリーブ１５が、前側の口金８と一体形成するか、又は固着した状態にあることを特徴としている（尚、図３（ｂ）においては、先端ダイヤルスリーブ１５が先軸１４ではなく、後方の口金８に螺合している場合を示す。）。
【００２１】
このような図３に示す実施例では、先端ダイヤルスリーブ１５の回転によって、その後端が内側筒状部６１との距離を調節し、当該調節によって、内側筒状部６１及び先端金具１６と一体をなして前後移動を行うガイドパイプ９の突出する上限（限界）を調整することが可能となる。
【００２２】
このような調節によって、例えば芯１の突出を可能とするようなガイドパイプ９の過大な突出を防止することができる。
【００２３】
【発明の効果】
以上のような本発明においては、スライドスリーブを設けることによって、締めリングの後退量を調節し、ひいては芯のガイドパイプからの最終的な突出量をも調整することが可能であると共に、このようなスライドスリーブと一体を成して前後移動を行うダイヤルスリーブ及びダイヤルスリーブを介在させるダイヤルは、口金から相当距離だけ離れた部位に設定されているので、ユーザーは、操作がしやすく、しかも、ダイヤルスリーブ及びダイヤルスリーブを前後方向において適宜選択した部位において設けることができるので、製造に際し、口金、又はその近辺に設ける場合に比し、煩雑性を免れることができる。
【００２４】
更には、実施例のように、先軸を螺着している内側筒状部、及びこれと間接的に接続されているガイドパイプの前後方向位置を調整することによって、芯の突出量についても、更なる調整を行うことが可能となる。
【００２５】
このように、本発明は多面的な長所を有しており、その価値は絶大である。
【図面の簡単な説明】
【図１】  前記基本構成において、内側筒状部、先端金具、及び先軸以外の構成要素の接続関係を示す実施形態の側断面図
【図２】  図１に示す基本構成に立脚したうえで、内側筒状部、先端金具、及び先軸を設けたことによる前記基本構成の特徴点を含む実施形態の側断面図
【図３】  本発明において先端ダイヤルスリーブを設けたことによる実施例を示す側断面図
【図４】  従来技術による基本構成を示す側断面図
【符号の説明】
１  芯
２  芯咬止チャック
２１  継ぎ手
２２  芯タンク
２３  突起
３  締めリング
４  スライドスリーブ
５  ダイヤルスリーブ
５１  ダイヤル
６１  内側筒状部
６２  外側筒状部
７  ノック
８  口金
９  ガイドパイプ
１０  ゴムパッキング
１１  隙間
１２  芯咬止用バネ
１３  振動防止バネ
１４  先軸
１５  先端ダイヤルスリーブ
１６  先端金具
【図１】
0004448659.tif 000002
【図２】
0004448659.tif 000003
【図３】
0004448659.tif 000004
【図４】
0004448659.tif 000005